Podtech/llm-jp-corpus-v4-ja_patent huggingface dataset:
(57)【要約】      （修正有）【課題】シンク用排水口内部にある水きりネットを衛生的に交換可能であり、また水きりネットに溜まったゴミの水分を切る機能を有する排水口蓋を提供する。【解決手段】シンク内排水口蓋の上部に摘み１ａの付いた構造を有し、このシンク内排水口蓋には上下を連通する開口２ａを有し、また、このシンク内排水口蓋には水のみを通過させる網目状のネット４ａを排水口蓋の下部に接着により一体化した構造とする。【選択図】図１
0003225734.tif 000002
【実用新案登録請求の範囲】
【請求項１】
排水口蓋に上下を連通させる開口を有する
また排水口蓋の下部に網目状のネットを一体化させた構造を
特徴とした排水口蓋
【請求項２】
シンク内排水口蓋の上部に摘みの付いた構造を有し、
このシンク内排水口蓋には上下を連通する開口を有する
またこのシンク内排水口蓋には水のみを通過させる
網目状のネットを排水口蓋の下部に
接着により一体化した構造を特徴とするシンク内排水口蓋
【請求項３】
シンク内排水口蓋の上部に摘みの付いた構造を有し、
このシンク内排水口蓋には上下を連通する開口を有する
またこのシンク内排水口蓋の摘みを摘まんで上部から圧力を加えることで
シンク内排水口蓋の下部に取り付けた網目状の袋の内部にあるゴミの水を
切ることができる機能を特徴としたシンク内排水口蓋
【考案の詳細な説明】
【技術分野】
【０００１】
この発明は流し台（シンク）の排水口内にある
水切りネットを衛生的に交換する機能を有する
排水口蓋に関するものである
【背景技術】
【０００２】
シンクの排水口内に設置された水きりネットは
通常、排水口蓋を取り外しその後水切りカゴを手で取り外し
一旦シンク内に置きます。
その後水切りカゴに取り付けられた水きりネットを取り外し
水切りネットに溜まったゴミごと廃棄することを行うが
排水口蓋、水きりカゴ、ゴミの溜まった水きりネットは
汚れが溜まり手で触るには現状不衛生である
そこでこの問題を解決するのが本発明である。
【先行技術文献】
【特許文献】
【０００３】
【特許文献１】特開2010-037823号公報
【特許文献２】実登3054530号公報
【特許文献３】特開2004-278273号公報
【特許文献４】特開2017-160764号公報
【考案の概要】
【考案が解決しようとする課題】
【０００４】
家庭内のシンクの排水口に設置される
水きりネットを交換するには素手もしくは手袋をして
排水口蓋を外しさらに水きりカゴを取り出した上で
水きりカゴに水きりネットを設置する必要があった。
この際、シンク用排水口蓋、水きりカゴ、ゴミの溜まった水きりネットは
不衛生であることが多く素手で触ることも多い主婦の手を不衛生な
環境にさらす状況にある。
またゴミの溜まった水きりネットはそのまま捨てると生ゴミ等が大量の
水分を含み腐敗臭の原因にもなっていた。
【課題を解決するための手段】
【０００５】
まず本発明はシンク用排水口蓋に摘みが存在し
この摘みを摘まんで排水口に収めるだけで設置可能にし
さらに本発明の下部に取り付けたネットにゴミが溜まった際は
再度排水口蓋の摘みを摘まんで持ち上げる。
その後ゴミ箱に捨てるだけで不衛生な部分に一切触ることなく
水きりネットを交換可能とする。
また水きりネットに溜まったゴミを捨てる際
本発明の摘みを摘まんで下部に向かって圧力をかけることで
排水口蓋板に下方向に対する圧力となり
排水口蓋板とシンク板で水きりネットに入っているゴミが
挟まれ水を切ることができる。これにより腐敗臭の原因である
水が切れるためゴミ箱に捨てた際もより衛生的な環境にすることを
可能にする。
【考案の効果】
【０００６】
本発明を使用することによって主婦が手を汚すことなく
排水口内の水きりネットを交換できかつ水きりネット内のゴミの
水分を切ることでゴミ箱に捨てた際も腐敗臭や液漏れを防ぐことが
可能となる。
これによりシンク内およびゴミ箱が従来よりも清潔な
環境が保たれる。
また排水口蓋ごと取り換えることになるため
野菜、果物等を洗っている際の落下による排水口蓋との
接触した際も常に新しく取り換える排水口蓋であるため
ウイルスなどの病原菌との接触を減らすことが可能となる
【図面の簡単な説明】
【０００７】
【図１】本発明の実施例を表す側面図である
【図２】本発明の本体を俯瞰図として記載
【図３】本発明の排水口への装着方法
【図４】本発明を使用し水切りネットの水きり方法
【考案を実施するための形態】
【０００８】
３a排水口蓋板に取り付けられた１a摘みを摘まんで本発明を持ち上げる。
次に本発明をB排水口に納める。
きちんと納まったことを確認し摘みから手を放すことで
設置が完了となる。
次にAシンク板から水とゴミが３a排水口蓋板に設置された
２a開口に流れ込み３a排水口蓋板の下部に取り付けられた
４aネット内に入る。
その後一定以上のゴミがこの４aネットに溜まった際は
１a摘みを摘まんで持ち上げ一旦Aシンク板に置き
その後１a摘みを下方向に圧力をかけると３a排水口蓋に対して下方向に
圧力が掛かる。
結果４aネット内に入ったゴミが３a排水口蓋とAシンク板に挟まれ
ゴミの水が切れる。
そして水を切ったら１a摘みを摘まんでゴミ箱に捨てる
これによって腐敗臭や液漏れを防ぎさらに不衛生な部位を
触らないため手を常に清潔な環境に保つことを可能とする
【実施例】
【０００９】
まず本発明を家庭内のシンク用排水口に取り付けます。
この際、従来であれば３a排水口蓋と水きりカゴに触らない限り
水きりネットを交換はできない。
しかし本発明は摘みを摘まんでB排水口に設置するだけである
本発明の下部に取り付けた４a水きりネットにゴミが一定量溜まったら
本発明の1a摘みを摘まんで持ち上げ、一旦Aシンク内に置き
1a摘みを摘まんだ状態で３a排水口蓋に対し圧力をかけることで
本発明の下部についた４a水きりネット内のゴミの水が切られます。
その後1a摘みを摘まんだままゴミ箱へ持って行き
捨てることで腐敗臭や液漏れの原因となる水も切れる上に
常に1a摘みを摘まんでいるため汚れた部位を触らず
手を衛生的な環境に保つことを可能とする。
【産業上の利用可能性】
【００１０】
本発明は飲食店のシンクに対しても適用でき
シンク内で大量に野菜や果物を洗う環境では水切りネットは詰まり易く
シンク内の水きりネットに溜まったゴミを素手で触ることが
無いため衛生的な環境を作り出すことができる
【符号の説明】
【００１１】
A：シンク板
B：排水口
C：排水口内部
D：下水へ
１a：摘み
２a：開口
３a：排水口蓋板
４a：蓋板に接着されたネット
【図１】
0003225734.tif 000003
【図２】
0003225734.tif 000004
【図３】
0003225734.tif 000005
【図４】
0003225734.tif 000006
(57)【要約】      （修正有）【課題】ピンホールメガネの縦横に隣接するピンホール間の枠部の大きさを小さくして、枠部が視野の障害となることがないようにし、見え易くしたピンホールメガネを提供する。【解決手段】ピンホール５が６角形をなして縦或いは横方向に複数列並設され、並設する任意の２列のピンホール５は、一方の列のピンホール５の間に、他方の列のピンホール５の１つの一部が入り込むように互い違いに配置され、かつピンホール５が等間隔で配置される。【選択図】図２
0003225720.tif 000002
【実用新案登録請求の範囲】
【請求項１】
ピンホールが６角形をなして縦或いは横方向に複数列並設され、並列する任意の２列のピンホールのうち、一方の列のピンホール間に多方の列のピンホールが互い違いとなり、かつ前記ピンホールが等間隔で配置された形態をなすことを特徴とするピンホールメガネ。
【考案の詳細な説明】
【技術分野】
【０００１】
本考案は、多数のピンホールを並設したピンホールメガネに関する。
【背景技術】
【０００２】
この種のメガネに関しては、ピンホールが円形や楕円形をなしているものが多く見受けられるが、図１に示されるように、ピンホール１が角形の長方形をなすものも知られる(特許文献１)。
【０００３】
特許文献１に開示される長方形のピンホール１は縦横に等間隔で並設され、ピンホール１の周りの枠２のうち、隣接する４か所のピンホール１端で囲まれる４角形の枠部１aは、その大きさ(広さ)が円形や楕円形のピンホール端で囲まれる枠部に比べ小さくなり、枠部１aによる視界の妨げが少なくなって、見え易くなる利点がある。
【先行技術文献】
【特許文献】
【０００４】
【特許文献１】特開２００２−２８７０９０号
【考案の概要】
【考案が解決しようとする課題】
【０００５】
本考案は、ピンホール間の枠部の大きさを、より一層小さくして、視野の妨げとなることなく、見え易くしたピンホールメガネを提供することを目的とする。
【課題を解決するための手段】
【０００６】
本考案は、ピンホールが６角形をなして縦或いは横方向に複数列並設され、並列する任意の２列のピンホールのうち、一方の列のピンホール間に多方の列のピンホールが互い違いとなり、かつ前記ピンホールが等間隔で配置された形態をなすことを特徴とする。
【考案の効果】
【０００７】
本考案によると、互い違いに配置される３個のピンホールで困まれる枠部の大きさをより一層小さくでき、枠部が視野の妨げとなりにくくなり、見え易くなる。
【図面の簡単な説明】
【０００８】
【図１】従来例のピンホールを示す平面図。
【図２】本考案に係るピンホールを示す平面図。
【図３】図１に示すａ部の拡大平面図。
【図４】図２に示すｂ部の拡大平面図。
【考案を実施するための形態】
【０００９】
図２は、本考案に係るピンホールメガネのピンホールの配置形態を示すもので、ピンホール６が正６角形をなして複数列、任意の隣接する２列のピンホール６のうち、一列目のピンホール６に対し、２列目のピンホール６が１列目のピンホール６と互い違いに、かつ縦横の各ピンホール６が等間隔で配置されている。
【００１０】
図３は、図１に示すピンホール１のa部の拡大図、図４は図２に示すピンホール６のｂ部の拡大図で、図３及び図に示すピンホール間の間隔をｃとすると、図３に示すピンホール間の枠部１aの広さはa２となる。これに対し図4に示すピンホール間６aの広さは、√2／２・a２となる。したがって枠部６a＜枠部１aとなり、本考案の方が枠部６aが更に小さくなっている。
【００１１】
前記実施形態では、ピンホール６は正６角形となっているが、別の実施形態では長く伸ばした長６角形とされる。
【符号の説明】
【００１２】
１、５・・ピンホール
２、６・・枠
２ａ、６ａ・・枠部
【図１】
0003225720.tif 000003
【図２】
0003225720.tif 000004
【図３】
0003225720.tif 000005
【図４】
0003225720.tif 000006
【手続補正書】
【提出日】令和2年1月10日(2020.1.10)
【手続補正１】
【補正対象書類名】実用新案登録請求の範囲
【補正対象項目名】全文
【補正方法】変更
【補正の内容】
【実用新案登録請求の範囲】
【請求項１】
ピンホールが６角形をなして縦或いは横方向に複数列並設され、並設する任意の２列のピンホールは、一方の列のピンホールの間に、他方の列のピンホールの１つの一部が入り込むように互い違いに配置され、かつ前記ピンホールが等間隔で配置された形態をなすことを特徴とするピンホールメガネ。
【手続補正２】
【補正対象書類名】明細書
【補正対象項目名】０００６
【補正方法】変更
【補正の内容】
【０００６】
本考案は、ピンホールが６角形をなして縦或いは横方向に複数列並設され、並設する任意の２列のピンホールは、一方の列のピンホールの間に、他方の列のピンホールの１つの一部が入り込むように互い違いに配置され、かつ前記ピンホールが等間隔で配置された形態をなすことを特徴とする。
【手続補正３】
【補正対象書類名】明細書
【補正対象項目名】０００７
【補正方法】変更
【補正の内容】
【０００７】
本考案によると、互い違いに配置される３個のピンホールで囲まれる枠部の大きさをより一層小さくでき、枠部が視野の妨げとなり難くなり、見え易くなる。        
【手続補正４】
【補正対象書類名】明細書
【補正対象項目名】０００９
【補正方法】変更
【補正の内容】
【０００９】
図２は、本考案に係るピンホールメガネのピンホールの配置形態を示すもので、ピンホール６が正６角形をなして複数列、任意の隣接する２列のピンホール６のうち、１列目のピンヒール６に対し、２列目のピンホール６を各ピンホール６の一部が１列目のピンホール６の間にそれぞれ入り込むように互い違いに、かつ縦横の各ピンホールが等間隔で配置されている。
(57)【要約】      （修正有）【課題】トング両先端に穴を設け、ロック・クライミング用具であるカミングデバイスが岩の割れ目から回収困難となった場合に、その回収を容易にすることのできるカミングデバイス回収機を提供する。【解決手段】トング本体１の両先端部穴２を設け、岩の割れ目に挟まり回収困難となったカミングデバイスの側からそのトング両先端部を差し込み、カミングデバイスのトリガー部分を両先端部穴２に通したのち、トングを持っている手でトングを握り締めることでカミングデバイスのトリガー部分を確保し、そのまま岩の割れ目から引き出す方向に力を入れることで、カミングデバイスのカム・ローブを狭めた状態でカミングデバイスを引き出すことが可能になり、カミングデバイスの回収を容易にするものである。【選択図】図１
0003225759.tif 000002
【実用新案登録請求の範囲】
【請求項１】
ロック・クライミング用のカミングデバイスのトリガー部分を通せることができる大きさの穴を、トングの両先端部分に設けたことを特徴とするカミングデバイス回収機である。
【請求項２】
カミングデバイスのトリガーを引くだけでは回収困難な場合、トリガーを本考案で引きつつ、カミングデバイスのサム・ホールドをナッツキー等の棒状の物で押し込むことで当該カミングデバイスの回収実現性が高まる。
【考案の詳細な説明】
【技術分野】
【０００１】  本考案は、トング両先端部にカミングデバイスのトリガー部分を通せる穴を設けたロック・クライミング用具に関するものである。
【背景技術】
【０００２】  カミングデバイスが岩の割れ目に入り込んで回収困難な場合、ナッツキーというロック・クライミング用具を使用して回収を試みていた。
【先行技術文献】
【特許文献】
【０００３】
【特許文献１】ＵＳ  ｐａｔｅｎｔ  ＵＳ４６４３３７７  Ｍｅｃｈａｎｉｃａｌｌｙ  ｅｘｐａｎｄｉｎｇ  ｃｌｉｍｂｉｎｇ  ａｉｄ
【非特許文献】
【０００４】
【非特許文献１】フリー百科事典「ウィキペディア（Ｗｉｋｉｐｅｄｉａ）、クライミングチョック、［令和元年９月１０日検索］、インターネット
【考案の概要】
【考案が解決しようとする課題】
【０００５】  素手を差し入れることが困難な岩の割れ目に入り込んで回収困難となったカミングデバイスをナッツキーで回収しようとする場合、うまく回収できないことがあり、その場合は高価なカミングデバイスの回収を諦めることとなる。さらに、結果的に残置されたカミングデバイスはその後も山に長年に渡って残ることになり、景観を害する要因となったり、ロック・クライミングのルート性質を変える要因になったりする。本考案はカミングデバイスの回収率を高めることで前述の問題を解決しようとするものである。
【課題を解決するための手段】
【０００６】  本考案はトング両先端部にカミングデバイスのトリガーを通すことができる穴を設け、岩の割れ目に入り込んで回収困難となったカミングデバイスのトリガーを２点で保持することにより、引き出して回収することを容易にして問題を解決している。
【考案の効果】
【０００７】  ナッツキーで岩の割れ目に入り込んで回収困難となったカミングデバイスを回収しようとする場合、カミングデバイスのトリガーをナッツキーのフック状部分の１点でしか保持することができず、本来は指２本を掛けて引くものであるトリガーを上手く操作することが困難であった。本考案は２点でトリガーを引くことを可能にしているため、トリガーをしっかり引くことが可能となり、カミングデバイスのカム・ローブの幅が十分に狭くなるため回収実現性が高まるものである。
【図面の簡単な説明】
【０００８】
【図１】本考案のカミングデバイスの一実施例を示す斜視図である。
【図２】本考案を岩に挟まり回収困難となったカミングデバイスのトリガーへ挿入する動作例を示す図である。
【図３】本考案でトリガーを確保したカミングデバイスを引き出す動作例を示す図である。
【図４】本考案とナッツキーを併用してカミングデバイスを引き出す動作例を示す図である。
【考案を実施するための形態】
【０００９】  本考案は使用時に岩への接触する場合が想定され、さらに強く握ると共に強く引く必要もある為素材はステンレス、鉄等の堅牢な材質が適している。岩の割れ目に入り込んで回収困難となったカミングデバイスのトリガー両サイド部分に向けて、本考案のトングを差し込み、トング両先端部の穴をトリガー両サイドに通す。次にトングを握りトング両先端部の穴にしっかりとカミングデバイスの両トリガー部分を確保し、岩の割れ目から引き出す方向に力を入れて、カミングデバイスの岩との接触部分のカム・ローブを十分に狭め、カミングデバイス本体を岩の割れ目から引き出す。この時、本考案のみでカミングデバイスのカム・ローブ部分が十分に狭められない場合は、ナッツキー等の棒状のものでカミングデバイスのサム・ホールド部分を同時に押し込むことで回収実現性が高まる。
【実施例】
【００１０】  以下、添付図面に従って一実施例を説明する。図１において、１はトング本体。２はカミングデバイスのトリガーを確保できる程度の大きさを設けたトング両先端部の穴。【００１１】  図２は岩の割れ目４の奥に入り込んで、手指が届かず回収困難となったカミングデバイス３の様子を表している。【００１２】  図３は、本考案をカミングデバイス３に挿入し、トリガー５をトング両先端部の穴２に通した状態である。トングを手で握りしめ、トリガー５をしっかりと確保したまま岩の割れ目から引き出す方向に力を入れると、カム・ローブ６が狭まった状態で図４のようにカミングデバイス３を岩の割れ目から回収することができる。【００１３】  本考案でトリガー５を引くだけでは回収困難な場合は、図５のようにナッツ・キー８にて、サム・ホールド７を同時に押し込むことでカミングデバイス３の回収実現性がより高まるものである。
【符号の説明】
【００１４】  １  トング本体
２  穴
３  カミングデバイス本体
４  岩
５  トリガー
６  カム・ローブ
７  サム・ホールド
８  ナッツキー
【図１】
0003225759.tif 000003
【図２】
0003225759.tif 000004
【図３】
0003225759.tif 000005
【図４】
0003225759.tif 000006
【手続補正書】
【提出日】令和1年11月8日(2019.11.8)
【手続補正１】
【補正対象書類名】実用新案登録請求の範囲
【補正対象項目名】請求項２
【補正方法】削除
【補正の内容】
【手続補正書】
【提出日】令和2年1月16日(2020.1.16)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
ロック・クライミング用のカミングデバイスのトリガー部分を通せることができる大きさの穴を、トングの両先端部分に設けたことを特徴とするカミングデバイス回収機である。
(57)【要約】【課題】ボールの飛距離を伸ばし、ボールのコントロールが容易で、プレーを楽しくすることができるゴルフクラブを提供する。【解決手段】シャフト１と、ヘッド２と、グリップ３と、ピアノ線４とを有している。シャフト１は、弧状または弓状に緩やかに湾曲している。ヘッド２は、シャフト１の先端に設けられている。ヘッド２には、上部に突起２ａが一体的に設けられている。グリップ３は、シャフト１の後端に設けられている。シャフト１のヘッド２とグリップ３との間の中間部には、突起１ａが一体的に設けられている。ピアノ線４は、ヘッド２の突起２ａとシャフト１の突起１ａとの間に伸びて各突起１ａ，２ａを張力をかけて連結している。【選択図】図１
0003225454.tif 000002
【実用新案登録請求の範囲】
【請求項１】
弧状または弓状に湾曲したシャフトと、
前記シャフトの先端に設けられたヘッドと、
前記シャフトの後端に設けられたグリップと、
前記ヘッドと前記シャフトの中間部とを連結するピアノ線とを、
有することを特徴とするゴルフクラブ。
【考案の詳細な説明】
【技術分野】
【０００１】
本考案は、ゴルフクラブに関する。
【背景技術】
【０００２】
一般的に、ゴルフクラブは、真直ぐなシャフトの先端にクラブヘッドを設け、後部にグリップを設けて成っている。ゴルフの上達には練習が必要で、やみくもにプレーしても、うまくゴルフボールを飛ばすことはできず、コントロールは思うようにいかず、飛距離も伸びず、スコアも良くならない。ボールの飛距離を伸ばすため、シャフトを改良したゴルフクラブが開示されている（例えば、特許文献１参照）。
【先行技術文献】
【特許文献】
【０００３】
【特許文献１】特開２０１９−５１２９１号公報
【考案の概要】
【考案が解決しようとする課題】
【０００４】
しかしながら、特許文献１のゴルフクラブでは、ボールの飛距離が十分には伸びず、ボールのコントロールも難しいという課題があった。
【０００５】
本考案は、このような課題に着目してなされたもので、ボールの飛距離を伸ばし、ボールのコントロールが容易で、プレーを楽しくすることができるゴルフクラブを提供することを目的とする。
【課題を解決するための手段】
【０００６】
上記目的を達成するために、本考案に係るゴルフクラブは、弧状または弓状に湾曲したシャフトと、前記シャフトの先端に設けられたヘッドと、前記シャフトの後端に設けられたグリップと、前記ヘッドと前記シャフトの中間部とを連結するピアノ線とを、有することを特徴とする。
本考案に係るゴルフクラブは、ボールの飛距離を伸ばし、ボールのコントロールが容易で、プレーを楽しくすることができる。
【考案の効果】
【０００７】
本考案によれば、ボールの飛距離を伸ばし、ボールのコントロールが容易で、プレーを楽しくすることができるゴルフクラブを提供することができる。
【図面の簡単な説明】
【０００８】
【図１】本考案の実施の形態のゴルフクラブを示す側面図である。
【考案を実施するための形態】
【０００９】
以下、図面に基づき本考案の実施の形態について説明する。
図１は、本考案の実施の形態のゴルフクラブを示している。
ゴルフクラブは、シャフト１と、ヘッド２と、グリップ３と、ピアノ線４とを有している。シャフト１は、弧状または弓状に緩やかに湾曲している。ヘッド２は、シャフト１の先端に設けられている。ヘッド２には、上部に突起２ａが一体的に設けられている。グリップ３は、シャフト１の後端に設けられている。シャフト１のヘッド２とグリップ３との間の中間部には、突起１ａが一体的に設けられている。ピアノ線４は、ヘッド２の突起２ａとシャフト１の突起１ａとの間に伸びて各突起１ａ，２ａを張力をかけて連結している。
【００１０】
本考案の実施の形態のゴルフクラブは、ヘッド２がぶれにくく、ヘッド２の遠心力および慣性力によって得られる回転トルクを維持しやすく、ゴルフボールの飛距離を伸ばすことができる。また、ゴルフスイングの状態がスムーズで良好となり、ボールのコントロールが容易で、スコアが良くなり、プレーを楽しくすることができる。このため、このゴルフクラブは、体力の弱ったシニアのゴルファーにとっては、理想的なゴルフクラブである。
なお、シャフト１の弧状または弓状の湾曲度は、クラブの種類によって多少調整することが好ましい。
【産業上の利用可能性】
【００１１】
本考案のゴルフクラブは、ボールの飛距離を伸ばし、ボールのコントロールが容易で、プレーを楽しくすることができるので、実用上の効果が極めて大きく、産業上の利用可能性は極めて大きい。
【符号の説明】
【００１２】
１  シャフト
１ａ  突起
２  ヘッド
２ａ  突起
３  グリップ
４  ピアノ線
【図１】
0003225454.tif 000003
(57)【要約】      （修正有）【課題】ガソリンキャップ及びガソリンコックの開き状態を知らせる為に、インストルメントパネル内の警告灯を点滅表示させる設備を提供する。【解決手段】車、車内インストルメントパネル内にガソリンキャップマークを設けるとともに、ガソリン給油口内部２にガソリンキャップ用スイッチ３及びガソリンコック用スイッチ４を取り付け、ガソリンキャップ縁部及びガソリンコック５にスイッチ押さえ曲げ物６を取り付け、インストルメントパネル内のキャップマークまで配線する。ガソリンキャップ及びガソリンコック５が閉まった状態の時はスイッチ３、４ＯＦＦ、ガソリンキャップ及びガソリンコック５が開いている状態の時はスイッチ３、４ＯＮになる様に設置し、スイッチ３、４がＯＮ状態になると車内インストルメントパネル内のガソリンキャップマークが点滅する。【選択図】図１
0003225405.tif 000002
【実用新案登録請求の範囲】
【請求項１】
車、車内インストルメントパネル内にガソリンキャップマークを設けるとともに、ガソリン給油口内部にスイッチを取り付け、インストルメントパネル内のキャップマークまで配線する、ガソリンキャップ及びガソリンコックが閉まった状態の時はスイッチＯＦＦ、ガソリンキャップ、及びガソリンコックが開いている状態の時はスイッチＯＮになる様に設置し、スイッチがＯＮ状態になると車内インストルメントパネル内のガソリンキャップマークが点滅するようにする設備
【考案の詳細な説明】
【技術分野】
【０００１】本考案は、ガソリンキャップ及び、ガソリンコックの開き状態を知らせる為に、警告ランプを点滅表示させる警告装置である。
【背景技術】
【０００２】セルフガソリンスタンド等において、燃料給油後ガソリンキャップを閉め忘れ、そのまま走行するケースがある。
【考案の概要】
【考案が解決しようとする課題】
【０００３】セルフスタンド形式のガソリンスタンドが増え、ガソリンキャップの閉め忘れが増加傾向にある、ガソリンキャップの閉め忘れにより、故障の原因や事故につながる可能性がある、それらの危険を解決しようとするものである。
【課題を解決するため手段】
【０００４】本考案は、インストルメントパネル内に警告灯を設け、ガソリンキャップ及び、ガソリンコック開き状態時警告灯が点滅する為、自然と目視で確認出来る事で問題点を解決している。
【考案の効果】
【０００５】上述の様に本考案の警告装置は、ガソリンキャップの閉め忘れをなくす事で、故障原因や事故を減らし、ガソリンコックの閉め忘れをなくす事で燃料盗難防止として役立つ。
【図面の簡単な説明】
【０００６】
【図１】  本考案の給油口内部スイッチ位置を示す正面図である。
【図２】  給油口内部を上から見たスイッチＯＮ状態の断面図である。
【図３】  給油口内部に設置したスイッチがＯＦＦ状態の断面図である。
【図４】  インストルメントパネル内のガソリンキャップマークが点滅した状態の正面図である。
【考案を実施するための形態】
【０００７】給油口側のスイッチ位置はガソリンキャップの縁部を利用し、ＯＮ・ＯＦＦ出来る位置に設置し、ガソリンコックには、スイッチをＯＮ・ＯＦＦ出来るように曲げ物を取り付ける事によりスイッチのＯＮ・ＯＦＦを可能とする。
【実施例】
【０００８】以下添付図面に従って一実施例を説明する。給油する際、２給油口内部、図３スイッチＯＦＦ状態から、５ガソリンコック及び７ガソリンキャップを開け、図２スイッチＯＮ状態となる。【０００９】５ガソリンコック及び７ガソリンキャップを開ける事により、８ガソリンキャップ縁部及び５ガソリンコックに取り付けた、６スイッチ押さえ曲げ物で押さえられてＯＦＦ状態だった、１給油口上部の３ガソリンキャップ用スイッチ、４ガソリンコック用スイッチの押さえがなくなり各スイッチがＯＮ状態となり、９インストルメントパネル内の１０ガソリンキャップマークが、１１点滅状態になる。【００１０】７ガソリンキャップ、５ガソリンコックを閉める事により、図３給油口内部に設置したスイッチがＯＦＦ状態になり、９インストルメントパネル内の１０ガソリンキャップマークの１１点滅が停止する。
【符号の説明】
【００１１】  １    給油口
２    給油口内部
３    ガソリンキャップ用スイッチ
４    ガソリンコック用スイッチ
５    ガソリンコック
６    スイッチ押さえ曲げ物
７    ガソリンキャップ
８    ガソリンキャップ縁部
９    インストルメントパネル内
１０    ガソリンキャップマーク
１１    点滅状態
【図１】
0003225405.tif 000003
【図２】
0003225405.tif 000004
【図３】
0003225405.tif 000005
【図４】
0003225405.tif 000006
(57)【要約】      （修正有）【課題】印刷部分のデザインのカラーバリエーションが広がる炭で印刷された布製品を提供する。【解決手段】布製品１の上に透明ないし不透明のインク層４があり、その上に０．２ミリないし２ミリの炭２の砕片を無色透明又は着色透明の樹脂と混ぜて布にスクリーン版やステンシル版で印刷する。【選択図】図３
0003225498.tif 000002
【実用新案登録請求の範囲】
【請求項１】
印刷が仕上がった時の見た目の黒の濃度を１％ないし１００％とした０．２ミリないし２ミリの炭の砕片を「無色透明」の樹脂と混ぜて印刷した布製品。
【請求項２】
印刷が仕上がった時の見た目の黒の濃度を１％ないし９０％とした０．２ミリないし２ミリの炭の砕片と印刷が仕上がった時の見た目の黒の濃度を５％ないし８０％とした０．０５ミリ以下の炭の微粉末と「無色透明」の樹脂と混ぜて印刷した布製品。
【請求項３】
印刷が仕上がった時の見た目の黒の濃度を１％ないし９０％とした０．２ミリないし２ミリの炭の砕片を「有色透明」の樹脂と混ぜて印刷した布製品。
【請求項４】
布製品の上に透明ないし不透明のインク層があり、その上に印刷が仕上がった時の見た目の黒の濃度を１％ないし９０％とした０．２ミリないし２ミリの炭の砕片を「無色透明」の樹脂と混ぜて印刷した布製品。
【考案の詳細な説明】
【技術分野】
【０００１】本考案は炭で印刷された布製品に関するものである。
【背景技術】
【０００２】従来の「炭で印刷された布製品」はおよそ０．２ミリ以下の微粉末の炭が使われている。
【先行技術文献】
【特許文献】
【０００３】
【特許文献１】特開２０１３−２３７９６２（Ｐ２０１３−２３７９６２Ａ）
【特許文献２】特許第６３４９４３８号（Ｐ６３４９４３８）
【特許文献３】実用新案登録第３０９２３３４号（Ｕ３０９２３３４）
【非特許文献】
【０００４】
【非特許文献１】アマゾン通販「木炭肌着［神炭］」で検索
【非特許文献２】伯舟庵ＷＥＢストア（ＪＡＰＡＮ）「［Ｔシャツ］  フラワー・オブ・ライフ１  麻生地  麻炭インク１００％」で検索
【考案の概要】
【考案が解決しようとする課題】
【０００５】従来の炭で印刷された布製品は１、微粉末の炭を使っているので消費者から見ると通常の黒インクを使用しているのか炭を使用しているのか分かりにくかった。２、布製品への炭の印刷部分が従来はグレー又は黒の単純な状態であり商品の印刷部分のデザインとしてのカラーバリエーションに乏しかった。
【課題を解決するための手段】
【０００６】本考案は０．２ミリないし２ミリの範囲の炭の砕片を単独又は従来から用いられている０．１ミリ以下の炭の微粉末とを併用し無色透明の樹脂又は有色透明の樹脂を使用することによって問題を解決するものである。
【考案の効果】
【０００７】０．２ミリないし２ミリの範囲の炭の砕片を使用することにより消費者から見て確かに商品に炭を使用しているということが目視ではっきり分かる。
さらにインクの接着機能部分に通常インクの着色透明を使用することによって印刷部分にデザインのカラーバリエーションが広がる。
【図面の簡単な説明】
【０００８】
【図１】本考案の炭で印刷された布製品の一実施例を示す図である。
【図２】本考案の炭で印刷された布製品の一実施例を示す断面図である。
【図３】本考案の炭で印刷された布製品の一実施例を示す断面図である。
【考案を実施するための形態】
【０００９】炭を粉砕し、ふるいでおよそ０．２ミリないし２ミリに選別する。砕片の形は不規則になるが、かえってこのほうが良い、なぜなら炭以外の何らかの工業的に作られた規則的な形の小片ではないことが分かるからである。
接着インク層の樹脂は市販の熱硬化性樹脂であるＴシャツプリント用のプラスチゾルインクで無色透明または着色透明を利用する。その主成分は塩化ビニールと可塑剤である。
次に炭が細かくつぶれない程度に両方を合わせて撹拌し刷インクとする。
次にステンシル版かスクリーン印刷用の版を使いスキージ（ゴムへら）で布に付着させる。スクリーンのメッシュは通常はスクリーン印刷に不向きな１インチあたり２０メッシュ以下のきわめて目の粗いものを利用する。
印刷後は１３０℃ないし１７０℃度の熱を３分ないし５分ほどあて充分に硬化乾燥させる。インク層の樹脂は水性インクのベースでも可能だがそれは印刷中に版上でのインク乾燥のトラブルがおきやすいので熟練者じゃないと難しい。ツブツブ感を出すための炭の大きさに関して０．２ミリ以下だと肉眼では炭とは分かりにくいので好ましくない。一方、２ミリ以上だと洗濯時などに炭の粒が折れやすくなるなど商品の品質に問題がでるので好ましくない。
【実施例】
【実施例１】
【００１０】図１は０．２ミリないし２ミリの炭の砕片を無色透明の樹脂に混ぜてインクとしたものを前記およそ２０メッシュのスクリーンで印刷し乾燥させたものである。
印刷が仕上がった時の見た目の黒の濃度は１％ないし１００％である。図２はその断面である。
【実施例２】
【００１１】図１、図２、において無色透明の３の接着インク層に従来から使用されている０．０５ミリ以下の炭の粉末（できるだけ微粒子が良い）と０．２ミリないし２ミリの炭を併用することにより１度でグレーと炭のツブツブ（砕片）が印刷できる。グレーの濃さは好みで量を変えることにより調整できる。ツブツブの量も好みで調整できる。
【実施例３】
【００１２】図２において布は白、接着インク層は着色透明にすることによって１度でカラーインクと炭の黒いツブツブが印刷できる。ツブツブの量も好みで調整できる。
【実施例４】
【００１３】図３において通常インク層は透明ないし不透明色。例えば赤、金色、蛍光色など。生地色も黒でも白でも何色でもかまわない。接着インク層は無色透明。この場合炭の微細粉末は下層の通常インク層の色がはっきりとは見えなくなるので混ぜない。
【産業上の利用可能性】
【００１４】従来の炭の遠赤外線効果による人体への健康効果に加えて、見た目にも美しくＴシャツなどのプリントに利用できる。記念の特定の木（枝など）を炭にしてプリント製品にすれば単なるプリントＴシャツと違い記念の特定の木の物質を身近に着用することができる。見た目にも炭のツブツブがはっきり分かるので、差別化できる。記念品にする場合は必ずしも健康効果は必要ないので炭部分を大きな面積で印刷する必要は無い。
【符号の説明】
【００１５】１  布
２  炭
３  接着インク層
４  通常インク層
【図１】
0003225498.tif 000003
【図２】
0003225498.tif 000004
【図３】
0003225498.tif 000005
(57)【要約】      （修正有）【課題】徘徊者を持つ親族に振動発光装置を提供する。【解決手段】振動発光装置を備えたシュ一ズであって、前記装置は蓄電池、振動感知用部品、発光点滅用部品を収容ケ一スに収められており、前記収容ケ一スには強制電源スイッチとＬＥＤ３が収容ケ一ス外側に取り付けており、前記収容ケ一スは定固金具で下部アウトソ一ル８に固定されている。【選択図】図５
0003225494.tif 000002
【実用新案登録請求の範囲】
【請求項１】
シュ一ズ本体において足の踵（カガト）部に対応する踵部領域に配置されたヒ一ルカウンタ一の下に下部アウトソ一ルを有し、その後側部に固定金具を介して接合されている振動発光手段はシュ一ズ本体の振動によって発光、点滅することを特徴とする振動発光装置。
【請求項２】
前記振動発光手段は、ＩＣ集積回路と、ＬＥＤと、蓄電池と、積層板と、強制電源スイッチとからなり、シュ一ズ本体の振動によりＩＣ集積回内振動対応部品が作動しＬＥＤが発光、点滅することを特徴とする請求項１に記載の振動発光装置。
【考案の詳細な説明】
【技術分野】
【０００１】本考案は徘徊者が移動した時のシュ一ズ本体の振動で集積回路よりの信号によりＬＥＤが発光、点滅する振動発光装置に関するものである。
【背景技術】
【０００２】８００人以上の徘徊者が行方不明リストに乗り親族に戻っていないのが現状である、この人達には住所、名前、電話番号などを布に表示し衣服に縫い付けてあるが効果は薄い。
【先行技術文献】
【特許文献】
【０００３】
【特許文献１】特許第６３６３６３３号公報
【考案の概要】
【考案が解決しようとする課題】
【０００４】特許公報の中で徘徊者用振動発光装を搭載した装置は殆ど皆無であり、今後の日本は後期高齢者が増加の傾向の為、今まで以上に徘徊者対策が必要ある、特許第６３６３６３３号公報のネットワ一クによる徘徊者装置は高齢者の徘徊行方不明者を防止することを目的としているが装置が大がかりであり個人用としては該当しない、今要求されている事は簡単で安価な装置であり前途の欠点を解決しようとするものである。
【課題を解決するための手段】
【０００５】シュ一ズ本体において足の踵部に対応する踵部領域に配置されたヒ一ルカウンタ一の下に下部アウトソ一ルを有しその後側部に固定金具を介して接合されている振動発光手段でシュ一ズ本体の振動によって発光点滅する、前記振動発光手段はＩＣ集積回路と、ＬＥＤと、蓄電池と、積層板と、強制電源スイッチとからなり、靴の振動によりＩＣ集積回内振動対応部品が作動しＬＥＤが発光、点滅することにより徘徊者を確認し保護でき、この考案によって解決される。
【考案の効果】
【０００６】本考案はＩＣ集積回路と、ＬＥＤと、強制電源スイッチ、蓄電池の組み合わせにより集積回路内の集積部品が作動し発光、点滅する事によって自宅の近親者がいち早く徘徊者を確保し親族に渡せる事が出来る為この考案の効果はある。
【図面の簡単な説明】
【０００７】
【図１】シュ一ズ本体の平面図。
【図２】ソ一ル固定金具と振動発光手段の平面図。
【図３】ソ一ル固定金具と振動発光手段の側面図。
【図４】シュ一ズ本体にソ一ル固定金具と振動発光手段を取り付けた側面図。
【図５】シュ一ズ本体にソ一ル固定金具と振動発光手段を取り付けた斜視図。
【図６】蓄電池から直列に接続された強制電源スイッチをＯＮにしＩＣ集積回路に接続された内部部品がシュ一ズ本体の振動によりＬＥＤに加わる電圧がＯＮ、ＯＦＦされ発光、点滅する装置の総合電気配線図。
【考案を実施するための形態】
【０００８】以下、本発明の実施の形態を説明する。
【０００９】振動発光手段２をソ一ル固定金具１に取り付け、この金具をシュ一ズ本体４の下部アウトソ一ル８に取り付ける、ソ一ル固定金具１は逆刃の形になりシュ一ズ本体４と良く勘合する、又、下部アウトソ一ル８が硬質の時は逆刃と逆刃の間にビス孔が有りここに付属のビスでビス止めし固定する。
【００１０】振動発光手段２につけてある強制電源スイッチ６をＯＮにし振動発光手段２内部の電気部品に電気を通し作動させておく。
【００１１】徘徊者が歩きだすとその靴の振動でＩＣ集積回路内の電気部品が作動してＬＥＤ３にＯＮ、ＯＦＦの電圧が加わり発光、点滅し徘徊者はシュ一ズ本体４の下部アウトソ一ル８で点滅している事は気ずかず徘徊する。
【００１２】徘徊者を確保収容し自宅に帰還した時点で家族の方が強制電源スイッチ６をＯＦＦにする。
徘徊者が徘徊しそうと家族が判断した時には強制電源スイッチ６をＯＮにし振動発光手段２内部の電気部品に電気を通し作動させておく、但し長期に渡り電源スイッチをＯＮにすると蓄電池内の電圧が低下しＬＥＤ３の発光、点滅が阻止される為注意する。
【符号の説明】
【００１３】  １、ソ一ル固定金具
２、振動発光手段
３、ＬＥＤ（光）
４、シュ一ズ本体
５、蓄電池
６、強制電源スイッチ
７、ＩＣ集積回路
８、下部アウトソ一ル
９、アッパ一
１０、ヒ一ルカウンタ一
１１、ミッドソ一ル
１２、上部アウトソ一ル
【図１】
0003225494.tif 000003
【図２】
0003225494.tif 000004
【図３】
0003225494.tif 000005
【図４】
0003225494.tif 000006
【図５】
0003225494.tif 000007
【図６】
0003225494.tif 000008
【手続補正書】
【提出日】令和1年12月11日(2019.12.11)
【手続補正１】
【補正対象書類名】実用新案登録請求の範囲
【補正対象項目名】全文
【補正方法】変更
【補正の内容】
【実用新案登録請求の範囲】
【請求項１】
振動発光装置を備えたシュ一ズであつて、前記装置は蓄電池、振動感知用部品、発光点滅用部品を収容ケ一スに収められており、前記収容ケ一スには強制電源スイッチとＬＥＤが収容ケ一ス外側に取り付けており、前記収容ケ一スは定固金具で下部アウトソ一ルに固定されている、シュ一ズ。
(57)【要約】【課題】傘生地への石突用の穴開けを不要として完全な一枚張りを実現する傘構造を提供することにある。【解決手段】傘生地の中央部の裏面側にオスあるいはメスのネジを取り付けるとともにこのネジに嵌め合うメスあるいはオスのネジが骨組側に配するようにしたから、従前の傘構造に見られた傘の中央における石突対応の穴開けを不要として文字通りの一枚張りが実現できる。傘生地に表現されるデザインは石突がないため一部が損なうこともなく、完全な一枚張傘として製品化できる。  【選択図】図３
0003225893.tif 000002
【実用新案登録請求の範囲】
【請求項１】
傘生地の中央部の裏面側にオスあるいはメスのネジを取り付けるとともにこのネジに嵌め合うメスあるいはオスのネジが骨組側に配されてなることを特徴とする傘構造。
【考案の詳細な説明】
【技術分野】
【０００１】
本考案は、新規な傘構造に関し、特に一枚張り傘に好適な傘構造に係るものである。
【背景技術】
【０００２】
近時、縫い目がないので雨が洩れてくる心配がなく、また傘柄の模様が継ぎ目なく表現できるなどのメリットから一枚張りの傘が人気となっている。といっても傘の基本構造では、従前から図６および図７に示されるように、傘の先端に配される石突１５と菊座１６により傘生地１７を押さえて傘生地１７をたとえば上ろくろ１８のような傘骨組みに取り付けるものとされているから、石突１５と菊座１６に対応する傘生地１７の中心部分にはそのための穴１９が開けられる。したがって図８に示すように、一枚張りとはいえ石突１５が傘の表面中央に現われ、傘生地に反映させたデザイン（この例では犬の写真デザイン）の統一性のある美観を損なうなど、完全な一枚張りと呼ぶには外観上も構造上も問題があったものであるが、この問題を解決するための技術手段がまったく見受けられないというのが現状である。
【特許文献１】特開２０１８−１８３５５７号公報
【考案の開示】
【考案が解決しようとする課題】
【０００３】
本考案は、傘生地への石突用の穴開けを不要として完全な一枚張りを実現する傘構造を提供することにある。
【課題を解決するための手段】
【０００４】
本考案に係る傘構造によれば、傘生地の中央部の裏面側にオスあるいはメス
のネジを取り付けとともにこのネジ部に嵌め合うメスあるいはオスのネジが骨組側に配されてなるものである。
【考案の効果】
【０００５】
本考案に係る傘構造は傘生地の中央部の裏面側にオスあるいはメスのネジを取り付けとともにこのネジに嵌め合うメスあるいはオスのネジが骨組側に配されてなるから、従前の傘構造に見られた傘の中央における石突対応の穴開けを不要として文字通りの一枚張りが実現できる顕著な効果が得られる。
【図面の簡単な説明】
【０００６】
【図１】本考案に係る傘構造の実施の一例を示す概略図である。
【図２】本考案に係る傘構造の実施の一例を示す、傘生地と上ろくろとの合体前の要部拡大概略断面図である。
【図３】本考案に係る傘構造の実施の一例を示す、傘生地と上ろくろとの合体後の要部拡大概略断面図である。
【図４】本考案に係る傘構造に使用する台座部３とオスネジ４を傘生地２にあて布５を挟んで接着剤により接着した実施例を示す概略斜視図である。
【図５】本考案に係る傘構造に使用し一枚張りとした傘の平面図である。
【図６】従前の傘構造の例を示す、石突と上ろくろとの合体前の要部拡大概略断面図である。
【図７】従前の傘構造の例を示す、石突と上ろくろとの合体後の要部拡大概略断面図である。
【図８】従前の傘構造の例を示す、石突が傘生地中央に存在する傘の平面図である。
【考案を実施するための最良の形態】
【０００７】
本発明に係る傘構造は、傘生地の中央部の裏面側にオスあるいはメスのネジを取り付けとともにこのネジに嵌め合うメスあるいはオスのネジが骨組側に配されてなるものである。
【実施例１】
【０００８】
以下、本考案の傘構造１について実施例に基づき説明する。
本考案の傘構造１では図１〜図４に示されるように、中央に石突用の穴が開けられていない完全に一枚張りの傘生地２が使用され、また台座部３とオスネジ４が用いられる。そしてこの例ではあて布５が用意され、オスネジ４の台座部３はあて布５の一面５aに接着剤（図示しない）により接着され、またあて布５の他面５bは傘生地２の中央の裏面部６にやはり接着剤（図示しない）により接着される。
他方、前記オスネジ４が傘の骨組側の上ろくろ７の内部に刻設され、前記オスネジ４に嵌め合うメスネジ８に嵌合されることにより傘生地２と上ろくろ７とを合体させている。これにより図５に示されるように、傘生地２に表現されているデザイン（この例では犬の写真デザイン）は石突がないため一部が損なうこともなく、完全な一枚張傘として表現されている。
尚、図中９は傘骨、１０は中棒、１１は下ろくろ、１２は手元（ハンドル）である。
【０００９】
上記実施例においては傘布２にオスネジ４、上ろくろ７にメスネジ８を設けて篏合させたが、逆に傘布２に凹状のメス、上ろくろ７に凸状のメスを設けても無論よいしネジの形状は実施例に限定されない。また上記の例ではあて布５を用いたがこれを用いずに直接ネジと傘布を接着してもよい。さらに上記の実施例では上ろくろを利用したが、上ろくろに限らず傘布と合体する傘骨組み側に配される受け構造であればどのようなネジ構造であってもよい。また上記実施例では一枚張り傘に適用したが、一枚張り傘以外の傘にも適用できることはいうまでもない。さらにまた傘布２へのオスネジの取り付け（合体）に接着剤を用いたが取り付け手段についても接着剤に限らずその他の取り付け手段を使用できる。
【産業上の利用可能性】
【００１０】
本考案に係る傘構造は傘生地の中央部の裏面側にオスあるいはメスのネジを取り付けとともにこのネジに嵌め合うメスあるいはオスのネジが骨組側に配されてなるから、従前の傘構造に見られた傘の中央における石突対応の穴開けを不要として文字通りの一枚張りが実現でき外観美感に寄与する顕著な効果が得られる他、石突や菊座等の部品が要らないのでコスト低減にも資する。
【符号の説明】
【００１１】
１   傘構造
２   傘生地
３   台座部
４   オスネジ
５   あて布
６   傘生地中央裏面部
７   上ろくろ
８   メスネジ
９   傘骨
10   中棒
11   下ろくろ
12   手元（ハンドル）
15   石突
16   菊座
17   傘生地
18   上ろくろ 
19   穴
【図１】
0003225893.tif 000003
【図２】
0003225893.tif 000004
【図３】
0003225893.tif 000005
【図４】
0003225893.tif 000006
【図５】
0003225893.tif 000007
【図６】
0003225893.tif 000008
【図７】
0003225893.tif 000009
【図８】
0003225893.tif 000010
(57)【要約】      （修正有）【課題】２種類の異なった網目をスカート状に２枚重ね合わせ甲殻類をからめ取る手段の遠投用投げ網を提供する。【解決手段】異なったナイロン製の網目の２種類をスカート状に重ね合わせ、その中心に甲殻類の好む生餌等を収納する餌袋を取付け、付属品の遊動鉛等を調整役にし２５ｍ〜３０ｍの遠投できる。【選択図】図２
0003225820.tif 000002
【実用新案登録請求の範囲】
【請求項１】
本製品の新案実用の範囲は異なったナイロン製の網目の２種類をスカート状に重ね合わせ、その中心に甲殻類の好む生餌等を収納する餌袋を取付け、付属品の遊動鉛等を調整役にし２５ｍ〜３０ｍの遠投できる投げ網とした。
【考案の詳細な説明】
【技術分野】
【０００１】実用新案登録請求の範囲は２種類の異なった網をスカート状に２枚重ねその中に餌収納袋を取付け、遠投用投網とする。
【背景技術】
【０００２】従来遠投用投網などなかった。
【先行技術文献】
【０００３】
【考案の概要】
【考案が解決しようとする課題】
【０００４】従来釣竿によって２５〜３０ｍの遠投の出来る投げ網などなかった。
【課題を解決するための手段】
【０００５】本製品は、今まで陸地より遠投でき、底物を捕獲する網漁具がなかった。
２種類の異なった網目を各々スカート状に２枚重ね合わせ、その中心部内に餌収納袋を取り付ける。甲殻類の突起性に十分対応し、からめ取る構成である。
【考案の効果】
【０００６】簡易な組合わせの為、網目状の大きさ、多少の形状、取付け部等の交換が使用する個人の工夫にて、自由に変更できる。
【考案を実施するための形態】
【０００８】本製品は異なった２種類のナイロン製網をスカート状に２枚重ねに作成。
目違いを特徴とし網目の中へ餌収納袋をとりつける。
又部品の一部（鉛）等の取り替えにより遠投距離も調整
捕獲しようとする、甲殻類の広範囲のさぐり状況も容易になる。
【符号の説明】
【０００９】１内網Ａ外網Ｂ
２（１）（１’）、（２）（２’）縫い合わせ
３（３）（３’）断面
【図１】
0003225820.tif 000003
【図２】
0003225820.tif 000004
【手続補正書】
【提出日】令和1年11月27日(2019.11.27)
【手続補正１】
【補正対象書類名】実用新案登録請求の範囲
【補正対象項目名】全文
【補正方法】変更
【補正の内容】
【実用新案登録請求の範囲】
【請求項１】
異なったナイロン製の網目の２種類をスカート状に重ね合わせ、その中心に甲殻類の好む生餌等を収納する餌袋を取付け、付属品の遊動鉛等を調整役にし２５ｍ〜３０ｍの遠投できることを特徴とする投げ網。
【手続補正２】
【補正対象書類名】明細書
【補正対象項目名】全文
【補正方法】変更
【補正の内容】
【考案の詳細な説明】
【技術分野】
【０００１】本考案は２種類の異なった網をスカート状に２枚重ね、その中に餌収納袋を取り付けた、遠投用投げ網に関する。
【背景技術】
【０００２】従来遠投用投げ網などなかった。
【先行技術文献】
【０００３】
【考案の概要】
【考案が解決しようとする課題】
【０００４】従来釣竿によって２５ｍ〜３０ｍの遠投の出来る投げ網などなかった。
【課題を解決するための手段】
【０００５】本考案は、今まで陸地より遠投でき、底物を捕獲する網漁具がなかった。２種類の異なった網目を各々スカート状に２枚重ね合わせ、その中心部内に餌収納袋を取り付ける。甲殻類の突起性に十分対応し、からめ取る構成である。
【考案の効果】
【０００６】簡易な組合わせの為、網目状の大きさ、多少の形状、取付け部等の交換が使用する個人の工夫にて、自由に変更できる。
【図面の簡単な説明】
【０００７】
【図１】餌収納袋の横断図、断面図および内網、外網の展開図である。
【図２】完成横断図及び（３）（３’）断面図である。
【考案を実施するための形態】
【０００８】本考案の一実施例は、異なった２種類のナイロン製網をスカート状に２枚重ねに作成、目違いを特徴とし網目の中へ餌収納袋を取り付ける。
又部品の一部（鉛）等の取り換えにより遠投距離も調整捕獲しようとする、甲殻類の広範囲のさぐり状況も容易になる。
【符号の説明】
【０００９】  １  内網（Ａ）、外網（Ｂ）
２  （１）、（１’）、（２）（２’）各々縫い合わせ
３  （３）、（３’）断面